(57)【特許請求の範囲】
【請求項１】
所定の有効期間において視聴または聴取可能なコンテンツ（以下、「期限付きコンテンツ」という）を管理するコンテンツ管理サーバと接続され、当該コンテンツ管理サーバから期限付きコンテンツを取得して再生可能とするコンテンツ再生装置と、前記コンテンツ管理サーバならびに販売可能なコンテンツを管理するコンテンツ販売サーバとに接続され、当該コンテンツ管理サーバから期限付きコンテンツを取得して記録可能とするコンテンツ記録装置と、からなるコンテンツ購入システムであって、
前記コンテンツ再生装置は、
前記コンテンツ管理サーバから取得した期限付きコンテンツから、購入対象とする購入対象コンテンツの選択を受け付ける選択手段と、
前記選択された購入対象コンテンツを購入するために用いる当該購入対象コンテンツを特定する特定情報を生成する生成手段と、
前記生成された特定情報および自装置の識別情報を、前記コンテンツ記録装置に転送する転送手段と、を備え、
前記コンテンツ記録装置は、
前記コンテンツ再生装置から取得した特定情報ならびに購入のための対価を支払ったことを示す課金情報と、を含む購入要求を前記コンテンツ販売サーバに送信する送信手段と、
前記購入要求が送信された結果、前記特定情報で特定される自装置に記録済みの期限付きコンテンツの所定の有効期間を更新するための更新情報を前記コンテンツ販売サーバから受信する受信手段と、
前記受信された更新情報に基づいて、前記期限付きコンテンツを購入対象コンテンツとしてその所定の有効期間を無期限に更新する更新手段と、
前記有効期間が無期限に更新されたコンテンツの複製または前記更新情報を、前記コンテンツ再生装置から取得した識別情報に基づいて、前記特定情報の転送元の前記コンテンツ再生装置に出力する出力手段と、
を備えたことを特徴とするコンテンツ購入システム。
【請求項２】
前記出力手段は、
前記有効期間が無期限に更新されたコンテンツの複製または前記更新情報を、前記特定情報の転送元の前記コンテンツ再生装置を含む複数のコンテンツ再生装置に出力することを特徴とする請求項１に記載のコンテンツ購入システム。
【請求項３】
前記コンテンツ再生装置は、
前記特定情報を、前記コンテンツ記録装置に出力できる状態になるまで、一時的に保管する機能を備えることを特徴とする請求項１または２に記載のコンテンツ購入システム。
【請求項４】
前記コンテンツ再生装置は、
一時的に保管した前記特定情報から、前記コンテンツ記録装置に出力する特定情報を選択する機能を備えることを特徴とする請求項３に記載のコンテンツ購入システム。
【請求項５】
前記コンテンツ記録装置は、
前記コンテンツ再生装置から取得した特定情報を用いて前記コンテンツ販売サーバから受信した購入対象コンテンツの複製データを生成する複製データ生成手段を備え、
前記送信手段は、前記特定情報を生成および出力した前記コンテンツ再生装置に前記複製データを送信することを特徴とする請求項１〜４のいずれか一つに記載のコンテンツ購入システム。
【請求項６】
所定の有効期間において視聴または聴取可能なコンテンツ（以下、「期限付きコンテンツ」という）を管理するコンテンツ管理サーバと接続され、当該コンテンツ管理サーバから期限付きコンテンツを取得して再生可能とするコンテンツ再生装置と、前記コンテンツ管理サーバならびに販売可能なコンテンツを管理するコンテンツ販売サーバとに接続され、当該コンテンツ管理サーバから期限付きコンテンツを取得して記録可能とするコンテンツ記録装置と、からなるコンテンツ購入システムが実行するコンテンツ購入方法であって、
前記コンテンツ再生装置は、
前記コンテンツ管理サーバから取得した期限付きコンテンツから、購入対象とする購入対象コンテンツの選択を受け付ける選択工程と、
前記選択された購入対象コンテンツを購入するために用いる当該購入対象コンテンツを特定する特定情報を生成する生成工程と、
前記生成された特定情報および自装置の識別情報を、前記コンテンツ記録装置に転送する転送工程と、を含む処理をおこない、
前記コンテンツ記録装置は、
前記コンテンツ再生装置から取得した特定情報ならびに購入のための対価を支払ったことを示す課金情報と、を含む購入要求を前記コンテンツ販売サーバに送信する送信工程と、
前記購入要求が送信された結果、前記特定情報で特定される自装置に記録済みの期限付きコンテンツの所定の有効期間を更新するための更新情報を前記コンテンツ販売サーバから受信する受信工程と、
前記受信された更新情報に基づいて、前記期限付きコンテンツを購入対象コンテンツとしてその所定の有効期間を無期限に更新する更新工程と、
前記有効期間が無期限に更新されたコンテンツの複製または前記更新情報を、前記コンテンツ再生装置から取得した識別情報に基づいて、前記特定情報の転送元の前記コンテンツ再生装置に出力する出力工程と、
を含む処理をおこなうことを特徴とするコンテンツ購入方法。
【請求項７】
請求項６に記載のコンテンツ購入方法をコンピュータに実行させることを特徴とするコンテンツ購入プログラム。
【請求項８】
請求項７に記載のコンテンツ購入プログラムを記録したことを特徴とするコンピュータに読み取り可能な記録媒体。
【発明の詳細な説明】
【技術分野】
【０００１】
この発明は、コンテンツ購入システム、コンテンツ購入方法、コンテンツ購入プログラムおよび記録媒体に関する。ただし、この発明の利用は、上述したコンテンツ購入システム、コンテンツ購入方法、コンテンツ購入プログラムおよび記録媒体には限られない。
【背景技術】
【０００２】
近年では、任意の利用者が所定の契約料金を支払うことで、契約期間中に限り、利用者の再生端末などによって、所定の楽曲群の曲のダウンロードや聴取可能な再生をおこなうことができるサブスクリプションサービスなどと呼ばれるサービスが普及しつつある。このサブスクリプションサービスは、たとえば、利用者の再生端末に楽曲のデータが残らないストリーミング方式であってもよく、利用者は、低額の契約料金であっても比較的多くの楽曲を聴取することができる。
【０００３】
また、これまでに、所定の期間に限定した情報の利用について、利用者が特定のネットワーク・プロバイダに接続する契約を維持している期間に対応した期間に限定して、その利用者による所定のプログラムの実行を可能にする提案がされている（たとえば、下記特許文献１参照。）。
【０００４】
具体的に、下記特許文献１に記載の提案は、利用者の情報端末に配布するソフトウェアに対して、短期間で切れるライセンスキーを設定し、ネットワーク・プロバイダに接続することによってソフトウェアのライセンスを更新する構成としている。
【先行技術文献】
【特許文献】
【０００５】
【特許文献１】特開２００１−２６５５８４号公報
【発明の概要】
【発明が解決しようとする課題】
【０００６】
しかしながら、上述した技術では、利用者による楽曲の聴取が契約期間中に限られているため、利用者は、契約期間が経過すると楽曲の聴取ができなくなってしまうという問題が一例として挙げられる。特に、契約期間中であっても楽曲の複製ができないため、利用者は、楽曲を聴取するために再契約の負担がかかるという問題が一例として挙げられる。
【０００７】
一方、契約期間を考慮しないように楽曲を購入する場合、利用者は、契約期間中に限った視聴に比べて高額の費用を負担しなければならないという問題が一例として挙げられる。また、楽曲の限定的な部分に限った試聴をおこなって楽曲を選択し購入するという方法もあるが、それでもやはり限定的な部分に限った視聴であるため、利用者は、気に入らない楽曲を購入してしまう可能性があるという問題が一例として挙げられる。
【課題を解決するための手段】
【０００８】
上述した課題を解決し、目的を達成するため、請求項１の発明にかかるコンテンツ購入システムは、所定の有効期間において視聴または聴取可能なコンテンツ（以下、「期限付きコンテンツ」という）を管理するコンテンツ管理サーバと接続され、当該コンテンツ管理サーバから期限付きコンテンツを取得して再生可能とするコンテンツ再生装置と、前記コンテンツ管理サーバならびに販売可能なコンテンツを管理するコンテンツ販売サーバとに接続され、当該コンテンツ管理サーバから期限付きコンテンツを取得して記録可能とするコンテンツ記録装置と、からなるコンテンツ購入システムであって、前記コンテンツ再生装置は、前記コンテンツ管理サーバから取得した期限付きコンテンツから、購入対象とする購入対象コンテンツの選択を受け付ける選択手段と、前記選択された購入対象コンテンツを購入するために用いる当該購入対象コンテンツを特定する特定情報を生成する生成手段と、前記生成された特定情報および自装置の識別情報を、前記コンテンツ記録装置に転送する転送手段と、を備え、前記コンテンツ記録装置は、前記コンテンツ再生装置から取得した特定情報ならびに購入のための対価を支払ったことを示す課金情報と、を含む購入要求を前記コンテンツ販売サーバに送信する送信手段と、前記購入要求が送信された結果、前記特定情報で特定される自装置に記録済みの期限付きコンテンツの所定の有効期間を更新するための更新情報を前記コンテンツ販売サーバから受信する受信手段と、前記受信された更新情報に基づいて、前記期限付きコンテンツを購入対象コンテンツとしてその所定の有効期間を無期限に更新する更新手段と、前記有効期間が無期限に更新されたコンテンツの複製または前記更新情報を、前記コンテンツ再生装置から取得した識別情報に基づいて、前記特定情報の転送元の前記コンテンツ再生装置に出力する出力手段と、を備えたことを特徴とする。
【０００９】
また、請求項６の発明にかかるコンテンツ購入方法は、所定の有効期間において視聴または聴取可能なコンテンツ（以下、「期限付きコンテンツ」という）を管理するコンテンツ管理サーバと接続され、当該コンテンツ管理サーバから期限付きコンテンツを取得して再生可能とするコンテンツ再生装置と、前記コンテンツ管理サーバならびに販売可能なコンテンツを管理するコンテンツ販売サーバとに接続され、当該コンテンツ管理サーバから期限付きコンテンツを取得して記録可能とするコンテンツ記録装置と、からなるコンテンツ購入システムが実行するコンテンツ購入方法であって、前記コンテンツ再生装置は、前記コンテンツ管理サーバから取得した期限付きコンテンツから、購入対象とする購入対象コンテンツの選択を受け付ける選択工程と、前記選択された購入対象コンテンツを購入するために用いる当該購入対象コンテンツを特定する特定情報を生成する生成工程と、前記生成された特定情報および自装置の識別情報を、前記コンテンツ記録装置に転送する転送工程と、を含む処理をおこない、前記コンテンツ記録装置は、前記コンテンツ再生装置から取得した特定情報ならびに購入のための対価を支払ったことを示す課金情報と、を含む購入要求を前記コンテンツ販売サーバに送信する送信工程と、前記購入要求が送信された結果、前記特定情報で特定される自装置に記録済みの期限付きコンテンツの所定の有効期間を更新するための更新情報を前記コンテンツ販売サーバから受信する受信工程と、前記受信された更新情報に基づいて、前記期限付きコンテンツを購入対象コンテンツとしてその所定の有効期間を無期限に更新する更新工程と、前記有効期間が無期限に更新されたコンテンツの複製または前記更新情報を、前記コンテンツ再生装置から取得した識別情報に基づいて、前記特定情報の転送元の前記コンテンツ再生装置に出力する出力工程と、を含む処理をおこなうことを特徴とする。
【００１０】
また、請求項７の発明にかかるコンテンツ購入プログラムは、請求項６に記載のコンテンツ購入方法をコンピュータに実行させることを特徴とする。
【００１１】
また、請求項８の発明にかかるコンピュータに読み取り可能な記録媒体は、請求項７に記載のコンテンツ購入プログラムを記録したことを特徴とする。
【図面の簡単な説明】
【００１２】
【図１】本実施の形態にかかるコンテンツ再生装置の機能的構成の一例を示すブロック図である。
【図２】本実施の形態にかかるコンテンツ記録装置の機能的構成の一例を示すブロック図である。
【図３】本実施の形態にかかるコンテンツ再生装置の処理の内容を示すフローチャートである。
【図４】本実施の形態にかかるコンテンツ記録装置の処理の内容を示すフローチャートである。
【図５】本実施例にかかる楽曲購入システムの概要を示す説明図である。
【図６】本実施例にかかるサブスクリプションサービスサーバのハードウェア構成の一例を示すブロック図である。
【図７】本実施例にかかるナビゲーション装置のハードウェア構成の一例を示すブロック図である。
【図８】本実施例にかかるＰＣのハードウェア構成の一例を示すブロック図である。
【図９】本実施例にかかるナビゲーション装置の処理の内容を示すフローチャートである。
【図１０】本実施例にかかるＰＣの処理の内容を示すフローチャートである。
【発明を実施するための形態】
【００１３】
以下に添付図面を参照して、この発明にかかるコンテンツ購入システム、コンテンツ購入方法、コンテンツ購入プログラムおよび記録媒体の好適な実施の形態を詳細に説明する。
【００１４】
（実施の形態）
（コンテンツ再生装置の機能的構成）
図１を用いて、本実施の形態にかかるコンテンツ再生装置の機能的構成について説明する。図１は、本実施の形態にかかるコンテンツ再生装置の機能的構成の一例を示すブロック図である。
【００１５】
図１において、所定のコンテンツを視聴または聴取可能に再生可能なコンテンツ再生装置１００は、記録部１０１と、選択部１０２と、生成部１０３と、出力部１０４と、設定部１０５と、から構成されている。なお、コンテンツ再生装置１００は、コンテンツを視聴または聴取可能に当該コンテンツを再生するように構成されている。すなわち、図１には明示していないが、コンテンツを再生出力する構成が備えられている。
【００１６】
コンテンツ再生装置１００は、たとえば、移動体に搭載され、サブスクリプションサービスを用いて、所定の有効期間において視聴または聴取可能なコンテンツ（以下、「期限付きコンテンツ」という）を再生可能とすることとしてもよい。サブスクリプションサービスは、たとえば、利用者が所定の契約料金を支払うことで、契約期間中に限り、利用者の再生端末などによって、所定の楽曲群の曲のダウンロードや再生をおこなうことができるサービスである。
【００１７】
なお、本明細書では、サブスクリプションサービスを利用して、所定のコンテンツ群のコンテンツをダウンロードあるいは視聴または聴取することとして説明するが、コンテンツ群のコンテンツの代わりに映像データや楽曲などであってもよいし、その他各種情報データであってもよい。
【００１８】
記録部１０１は、期限付きコンテンツを図示しない記録媒体に記録する。記録媒体に記録された期限付きコンテンツは、たとえば、利用者からの再生の指示があった場合、所定の有効期間に応じて視聴または聴取可能となる。
【００１９】
選択部１０２は、記録部１０１によって記録された期限付きコンテンツのうち、購入対象となる購入対象コンテンツの選択を受け付ける。期限付きコンテンツは、たとえば、前述したサブスクリプションサービスによって提供される所定の有効期間内に限って視聴または聴取可能となるコンテンツである。なお、ここでは所定の有効期間に限って視聴または聴取可能な構成としたが、ダウンロードが可能な期間や、視聴（あるいは聴取）が可能な回数、すなわち再生できる回数を制限する構成でもよい。
【００２０】
購入対象コンテンツは、たとえば、利用者が購入を所望するコンテンツなどで、前述した有効期間などの制限がないコンテンツをダウンロードすることとしてもよい。
【００２１】
生成部１０３は、選択部１０２によって選択された購入対象コンテンツを特定する特定情報を生成する。特定情報は、たとえば、コンテンツのタイトル名称や著作者名などのメタデータ、著作権ナンバーなどのコンテンツＩＤ（ＩＤｅｎｔｉｆｉｅｒ）、サブスクリプションサービスにおける識別ナンバーなどであってもよい。また、コンテンツの特徴量やコンテンツの一部を含む情報であってもよい。コンテンツの特徴量や一部を含むことで、同一のコンテンツであっても録音環境などのバージョンの違いがある場合に容易に特定することができる。
【００２２】
出力部１０４は、生成部１０３によって生成された特定情報を、期限付きコンテンツを記録する記録装置に出力する。記録装置は、たとえば、複数のコンテンツを記録し管理可能な記録媒体を有しており、コンテンツ再生装置１００を所有する利用者のパーソナルコンピュータなどでもよい。また、記録装置は、複数のコンテンツを記録可能であれば、コンテンツ再生装置１００自体であってもよい。なお、本明細書においては、コンテンツを記録可能な機器（以下、コンテンツ記録装置とよぶ）を主にコンテンツの購入ができる機器として位置付けている。
【００２３】
設定部１０５は、選択部１０２によって選択された購入対象コンテンツが購入された場合、図示しない記録媒体に記録された期限付きコンテンツにおける購入対象コンテンツに対する所定の有効期間を無期限に設定する。
【００２４】
具体的には、たとえば、設定部１０５は、選択部１０２によって選択された購入対象コンテンツが購入された場合、購入対象コンテンツを管理するコンテンツ管理サーバから、購入対象コンテンツの有効期間に関する更新情報を取得することによって、所定の有効期間を無期限に設定する。すなわち、利用者が購入対象コンテンツの対価を支払って購入したことが確認されると取得できる更新情報によって、有効期間の指定されているコンテンツの有効期間を無期限にすることで、利用者は、購入後に有効期間を気にすることなくコンテンツを視聴または聴取できる。ここでは、無期限に設定するとしたが、取得した更新情報の指定する期間に設定するとしてもよく、コンテンツ管理サーバはユーザーとの購入契約に基づき指定する期間に設定できることとしてもよい。
【００２５】
このように、サブスクリプションサービスによって提供される期限付きコンテンツの有効期間を設定しなおすことで、購入対象コンテンツをダウンロードすることなく通信負荷を低減させることができる。
【００２６】
（コンテンツ記録装置の機能的構成）
つづいて、図２を用いて、本実施の形態にかかるコンテンツ記録装置の機能的構成について説明する。図２は、本実施の形態にかかるコンテンツ記録装置の機能的構成の一例を示すブロック図である。
【００２７】
図２において、コンテンツ記録装置２００は、記録部２０１と、取得部２０２と、検索部２０３と、要求部２０４と、受信部２０５と、更新部２０６と、から構成されている。
【００２８】
記録部２０１は、所定の有効期間において視聴または聴取可能な期限付きコンテンツを図示しない記録媒体に記録する。期限付きコンテンツは、たとえば、所定の再生装置によって視聴または聴取可能であることとし、コンテンツ記録装置２００に限るものではない。また、記録部２０１は、期限付きコンテンツの他、有効期間が設定されていないコンテンツや各種データを図示しない記録媒体に記録することとしてもよい。
【００２９】
取得部２０２は、記録部２０１によって記録された期限付きコンテンツのうち、購入対象となる購入対象コンテンツを特定する特定情報を取得する。特定情報は、たとえば、コンテンツのタイトル名称や著作者名などのメタデータ、著作権ナンバーなどのコンテンツＩＤ（ＩＤｅｎｔｉｆｉｅｒ）、サブスクリプションサービスにおける識別ナンバーなどであってもよい。また、コンテンツの特徴量やコンテンツの一部を含む情報であってもよい。コンテンツの特徴量や一部を含むことで、同一のコンテンツであっても録音環境などのバージョンの違いがある場合に容易に特定することができる。
【００３０】
また、特定情報の取得は、たとえば、外部の機器から受信することとしてもよいし、利用者からの入力を受け付けることとしてもよい。また、サブスクリプションサービスを実施するサーバなどの外部のサーバから取得することとしてもよい。
【００３１】
検索部２０３は、取得部２０２によって取得された特定情報によって特定される購入対象コンテンツを、図示しない記録媒体に記録された期限付きコンテンツの中から検索する。
【００３２】
要求部２０４は、検索部２０３によって検索された結果、購入対象コンテンツがあった場合、複数のコンテンツを管理するコンテンツ管理サーバに対して、購入対象となる購入対象コンテンツの購入要求をおこなう。
【００３３】
コンテンツ管理サーバは、たとえば、サブスクリプションサービスを実施するサーバと同一のサーバであってもよいし、サブスクリプションサービスとは異なるサーバであってもよい。換言すれば、サブスクリプションサービスを実施するサーバは、たとえば、所定の有効期間において視聴または聴取可能とするための期限付きコンテンツを管理し、コンテンツ管理サーバは、購入対象となるコンテンツを管理する構成としてもよい。
【００３４】
また、要求部２０４は、検索部２０３によって検索された結果、購入対象コンテンツがなかった場合期限付きコンテンツの取得要求をおこなうこととしてもよい期限付きコンテンツの取得は、たとえば、サブスクリプションサービスを実施するサーバや、コンテンツ管理サーバなどでもよい。
【００３５】
受信部２０５は、要求部２０４によって購入要求がされた結果、コンテンツ管理サーバから購入対象コンテンツの有効期間に関する更新情報を受信する。有効期間に関する更新情報は、たとえば、サブスクリプションサービスによって提供されるコンテンツの配信の終了日のみならず、開始日と終了日をあわせて更新する情報であってもよい。また、配信の期日の代わりに、再生可能な期日を設定してもよく、利用の可否に関する情報でもよい。
【００３６】
また、受信部２０５は、要求部２０４によって購入要求がされた結果、購入対象コンテンツの対価が支払われた場合に、購入対象コンテンツの対価の支払いに関する課金情報を管理するコンテンツ管理サーバから更新情報を受信することとしてもよい。
【００３７】
すなわち、コンテンツ管理サーバは、購入要求があった購入対象コンテンツについて、対価の支払いがあった場合に受信部２０５に対して購入対象コンテンツの更新情報を送信し、対価の支払いがない場合は、対価の要求をおこなう構成としてもよい。
【００３８】
更新部２０６は、受信部２０５によって受信された更新情報を用いて、図示しない記録媒体に記録された期限付きコンテンツにおける購入対象コンテンツに対する所定の有効期間を更新する。
【００３９】
具体的には、たとえば、更新部２０６は、更新情報を用いて、購入対象コンテンツに対する所定の有効期間を無期限としたり、購入対象コンテンツの複製に関する許容回数を設定したりすることとしてもよい。
【００４０】
（コンテンツ再生装置の処理の内容）
つぎに、図３を用いて、本実施の形態にかかるコンテンツ再生装置１００の処理の内容について説明する。図３は、本実施の形態にかかるコンテンツ再生装置の処理の内容を示すフローチャートである。図３のフローチャートにおいて、まず、記録部１０１によって図示しない記録媒体に期限付きコンテンツが記録されているか否かを判断する（ステップＳ３０１）。
【００４１】
ステップＳ３０１において、期限付きコンテンツが記録されていない場合（ステップＳ３０１：Ｎｏ）は、そのまま一連の処理を終了する。
【００４２】
また、ステップＳ３０１において期限付きコンテンツが記録されている場合（ステップＳ３０１：Ｙｅｓ）は、選択部１０２によって、購入対象コンテンツの選択を受け付けたか否かを判断する（ステップＳ３０２）。購入対象コンテンツの選択は、たとえば、利用者が図示しない操作部を操作することによっておこなわれる構成でもよい。
【００４３】
ステップＳ３０２において、購入対象コンテンツの選択を受け付けるのを待って、受け付けた場合（ステップＳ３０２：Ｙｅｓ）は、生成部１０３によって、ステップＳ３０２において選択された購入対象コンテンツを特定する特定情報を生成する（ステップＳ３０３）。生成した特定情報は、複数のコンテンツを記録可能な機器に対して出力するまで、コンテンツ再生装置１００内に保管し、利用者は一覧表示等で特定情報を生成した購入対象コンテンツの参照が出来、またコンテンツを記録可能な機器に対して出力する特定情報を後から選択できるようにしてもよい。
【００４４】
そして、出力部１０４によって、期限付きコンテンツを記録する記録装置に対して、ステップＳ３０３において生成された特定情報を出力して（ステップＳ３０４）、一連の処理を終了する。
【００４５】
また、図３のフローチャートでは説明を省略したが、設定部１０５によって、ステップＳ３０２において選択された購入対象コンテンツが購入された場合、図示しない記録媒体に記録された期限付きコンテンツにおける購入対象コンテンツに対する所定の有効期間を無期限に設定することとしてもよい。
【００４６】
（コンテンツ記録装置の処理の内容）
つづいて、図４を用いて、本実施の形態にかかるコンテンツ記録装置２００の処理の内容について説明する。図４は、本実施の形態にかかるコンテンツ記録装置の処理の内容を示すフローチャートである。図４のフローチャートにおいて、まず、記録部２０１によって図示しない記録媒体に期限付きコンテンツが記録されているか否かを判断する（ステップＳ４０１）。
【００４７】
ステップＳ４０１において、期限付きコンテンツが記録されていない場合（ステップＳ４０１：Ｎｏ）は、そのまま一連の処理を終了する。
【００４８】
また、ステップＳ４０１において、期限付きコンテンツが記録されている場合（ステップＳ４０１：Ｙｅｓ）は、取得部２０２によって、ステップＳ４０１において記録された期限付きコンテンツのうち、購入対象となる購入対象コンテンツを特定する特定情報を取得したか否かを判断する（ステップＳ４０２）。
【００４９】
ステップＳ４０２において、特定情報を取得するのを待って、取得した場合（ステップＳ４０２：Ｙｅｓ）は、検索部２０３によって、図示しない記録媒体に記録された期限付きコンテンツの中から、ステップＳ４０２において取得された特定情報によって特定される購入対象コンテンツを検索する（ステップＳ４０３）。
【００５０】
つぎに、要求部２０４によって、ステップＳ４０３において検索された結果、購入対象コンテンツがあった場合、複数のコンテンツを管理するコンテンツ管理サーバに対して、購入対象となる購入対象コンテンツの購入要求をおこなう（ステップＳ４０４）。
【００５１】
また、図４のフローチャートでは説明を省略するが、ステップＳ４０３において検索された結果、購入対象コンテンツがなかった場合、期限付きコンテンツの取得要求をおこなうこととしてもよい。期限付きコンテンツの取得は、たとえば、サブスクリプションサービスを実施するサーバや、コンテンツ管理サーバなどでもよい。
【００５２】
そして、受信部２０５によって、ステップＳ４０４において購入要求がされた結果、コンテンツ管理サーバから購入対象コンテンツの有効期間に関する更新情報を受信する（ステップＳ４０５）。有効期間に関する更新情報は、たとえば、サブスクリプションサービスによって提供されるコンテンツの配信の終了日のみならず、開始日と終了日をあわせて更新する情報などである。
【００５３】
つぎに、更新部２０６によって、ステップＳ４０５において受信された更新情報を用いて、図示しない記録媒体に記録された期限付きコンテンツにおける購入対象コンテンツに対する所定の有効期間を更新して（ステップＳ４０６）、一連の処理を終了する。
【００５４】
具体的には、たとえば、有効期間の更新は、更新情報を用いて、購入対象コンテンツに対する所定の有効期間を無期限としたり、購入対象コンテンツの複製に関する許容回数を設定したりすることとしてもよい。
【００５５】
以上説明したように、本実施の形態にかかるコンテンツ再生装置、コンテンツ記録装置、コンテンツ再生方法、コンテンツ記録方法、コンテンツ再生プログラム、コンテンツ記録プログラムおよびコンピュータに読み取り可能な記録媒体によれば、期限付きコンテンツから購入対象コンテンツを選択できるため、利用者は、コンテンツの内容を十分確認した上で購入することができる。
【００５６】
また、サブスクリプションサービスによって提供された期限付きコンテンツを購入した場合であっても、購入対象のコンテンツを受信することなく、有効期間を無期限に設定するだけでよいため、通信負荷の低減を図ることができる。
【００５７】
また、コンテンツ記録装置に購入したコンテンツを記録することで、利用者は、購入したコンテンツの一元管理が可能となる。すなわち、移動体に搭載されたコンテンツ再生装置とは別のコンテンツ記録装置に購入対象コンテンツを記録することで、利用者は、購入したコンテンツの再生や複製などの利便性を高めることができる。
【００５８】
また、購入対象コンテンツの受信をおこなわずに、更新情報を受信して有効期間を設定する構成であるため、通信環境が不安定になることなく購入コンテンツの取得ができる。
【実施例】
【００５９】
以下に、本発明の実施例について説明する。本実施例では、たとえば、車両（四輪車、二輪車を含む）などの移動体に搭載されるナビゲーション装置によって、本発明のコンテンツ再生装置を実施し、ナビゲーション装置とは異なる場所に設置されたＰＣ（パーソナルコンピュータ）によって、本発明のコンテンツ記録装置を実施した場合の一例について説明する。
【００６０】
（システムの概要）
まず、図５を用いて、本実施例にかかるコンテンツの購入の一例として楽曲を購入する楽曲購入システムの概要について説明する。図５は、本実施例にかかる楽曲購入システムの概要を示す説明図である。
【００６１】
図５において、楽曲購入システム５００は、サブスクリプションサービスサーバ５０１と、ナビゲーション装置５０２と、ＰＣ５０３と、再生端末５０４と、から構成されている。サブスクリプションサービスサーバ５０１と、ナビゲーション装置５０２と、ＰＣ５０３とは、それぞれインターネット５１０を介して接続されており、ナビゲーション装置５０２と、ＰＣ５０３と、再生端末５０４は、それぞれ同一の利用者５５０が所有していることとする。
【００６２】
なお、図５の説明では、ナビゲーション装置５０２と、ＰＣ５０３と、再生端末５０４は、同一の利用者５５０が所有することとしたが、それぞれ異なっていてもよく、その場合、それぞれが友人や家族など利用者５５０によって把握可能な所有としてもよい。
【００６３】
サブスクリプションサービスサーバ５０１は、利用者５５０との間における、所定の楽曲の配信に関する契約に基づいて、利用者５５０の所有するナビゲーション装置５０２やＰＣ５０３へ楽曲を配信する。楽曲の配信は、ナビゲーション装置５０２やＰＣ５０３に限ることなく、利用者５５０との間の契約に応じて登録される端末に対しておこなうこととしてもよい。
【００６４】
具体的には、たとえば、サブスクリプションサービスサーバ５０１によって、利用者５５０は、登録されたナビゲーション装置５０２やＰＣ５０３などの所定の端末を通じて、契約した期間に応じて、サブスクリプションサービスサーバ５０１が用意する楽曲群の楽曲から、好きな楽曲を好きなだけダウンロードあるいは再生して、聴取することができる。
【００６５】
より具体的には、たとえば、サブスクリプションサービスサーバ５０１は、楽曲データを保管管理するコンテンツサーバや、利用者５５０の端末認証と、楽曲の有効期間を設定管理する認証サーバや、利用者５５０との間における契約情報と課金情報を管理する課金サーバなどからなるサーバ群から構成されていてもよい。サーバ群は、たとえば、３つでなくてもよく、コンテンツサーバ、認証サーバ、課金サーバのうちいずれか一つ以上の機能を有するサーバからなり、すべての機能を実現できる構成であればよい。
【００６６】
ここで、サブスクリプションサービスサーバ５０１による楽曲の配信の概要について説明する。サブスクリプションサービスサーバ５０１は、利用者５５０との間の契約に応じて登録されたナビゲーション装置５０２やＰＣ５０３などの所定の端末から、楽曲のダウンロードの要求を受け付けると、認証サーバの機能によって、有効な契約がされた利用者５５０であるか否か認証をおこなう。
【００６７】
さらに、サブスクリプションサービスサーバ５０１は、課金サーバの機能によって管理された利用者５５０の契約情報に応じて、コンテンツサーバの機能によって保管管理された楽曲群から配信する楽曲を設定する。具体的には、たとえば、配信する楽曲は、ナビゲーション装置５０２やＰＣ５０３などから要求された楽曲について、契約情報や課金情報に応じた有効期間を設定して配信することとなる。また、有効期間の代わり、あるいは加えて、許可する再生回数を設定して配信してもよい。
【００６８】
ここで、有効期間は、たとえば、利用者５５０の支払い状況に応じて更新されることとしてもよく、配信の終了日のみならず、開始日と終了日をあわせた情報であってもよい。また、配信の期日の代わりに、再生可能な期日を設定してもよく、利用の可否に関する情報でもよい。
【００６９】
ナビゲーション装置５０２は、車両など移動体に搭載されており、車両の経路誘導などをおこなう他に、記録媒体に記録されたコンテンツや、通信機能によって取得されたコンテンツの再生をおこなう。
【００７０】
具体的には、たとえば、サブスクリプションサービスサーバ５０１によって配信される楽曲の聴取をおこなうことができる。楽曲の配信は通信機能を利用して行ってもよいし、記録媒体に記録し郵送などで配布してもよい。また配信される楽曲は、たとえば、聴取可能な有効期間が設定されており、ダウンロード方式によって、所定の記録媒体に記録される。
【００７１】
より具体的には、たとえば、ナビゲーション装置５０２は、所定の楽曲の配信に関する契約をおこなった利用者５５０が所有しており、図示しない表示部や音声出力部などによって利用可能な楽曲のリストや情報を参照する機能を有している。そして、図示しない操作部などによって、利用者５５０から聴取したい楽曲の選択を受け付けて、ダウンロードと、ダウンロード済みの楽曲の再生をおこなうことができる。ダウンロード中に同時再生ができてもよい。
【００７２】
再生する楽曲は、たとえば、サブスクリプションサービスサーバ５０１から１曲あるいは複数曲ダウンロードすることとしてもよい。ダウンロードされた楽曲は、契約に応じた有効期間に限って聴取可能な曲でもよい。
【００７３】
ここで、本実施例では、所定の有効期間に限って聴取している楽曲について、利用者５５０が購入を希望した場合に、その楽曲の購入をすることができる。具体的には、たとえば、利用者５５０が購入したい楽曲を選択すると、ナビゲーション装置５０２は、その楽曲を特定するための特定情報を生成して、登録する。そして、ナビゲーション装置５０２は、登録した特定情報を後述するＰＣ５０３へ転送して、ＰＣ５０３によって購入したい楽曲に対する対価の支払いがおこなわれることを条件に、楽曲の購入ができる。
【００７４】
特定情報のＰＣ５０３への転送は、ナビゲーション装置５０２をＰＣ５０３に有線で接続して行ってもよいし、無線通信を用いてもよい。また、たとえば、利用者５５０によって、着脱自在な記録媒体によって転送することとしてもよい。また、ナビゲーション装置５０２から、たとえばサブスクリプションサービスを実施するサーバなどの外部サーバーに一旦転送し、外部サーバからＰＣ５０３に転送することとしてもよい。このとき、外部サーバーからＰＣ５０３に接続して転送してもよいし、利用者５５０がＰＣ５０３から外部サーバーにアクセスして取得することとしてもよい。
【００７５】
ここで、楽曲の購入は、たとえば、所定の有効期間の制限を解除することである。すなわち、楽曲が販売可能なサーバが、有効期限を無期限とする更新情報を生成しそれを後述するＰＣ５０３に送信し、ＰＣ５０３は取得した更新情報にもとづいて所定の有効期間を無期限に設定することによって楽曲を購入することとなる。または、楽曲が販売可能なサーバが通信等で直接ＰＣ５０３内の所定の有効期間に限って聴取している楽曲データにアクセスし、楽曲データに含まれる所定の有効期間を無期限に設定することによって楽曲を購入することとしてもよい。
【００７６】
また、たとえば、楽曲の購入は、後述するＰＣ５０３によっておこなわれ、ナビゲーション装置５０２は、ＰＣ５０３から購入した（有効期間が無期限に設定された）楽曲の複製を受信する構成でもよい。
【００７７】
ナビゲーション装置５０２による楽曲の複製の受信は、たとえば、利用者５５０によって、着脱自在な記録媒体によってＰＣ５０３から転送することとしてもよい。あるいは、ＰＣ５０３へ転送する特定情報に、ナビゲーション装置５０２を識別する情報や、ナビゲーション装置５０２にアクセスするための情報を付与しておき、ＰＣ５０３による楽曲の購入後に自動的に複製をＰＣ５０３から転送することとしてもよい。
【００７８】
このように、購入した楽曲の複製を受信可能（転送によって受け取ることのできる）な装置を特定することで、不正な複製を防ぐことができ、著作権保護に役立つことができる。
【００７９】
また、ＰＣ５０３から購入した楽曲の複製を受信する代わりに、有効期間を無期限に設定するための更新情報を受信して、記録媒体に記録された、期限付きコンテンツの有効期間を無期限にしてもよい。この場合、有効期間が無期限となった楽曲のオリジナルがナビゲーション装置５０２およびＰＣ５０３に存在することとなる。すなわち、楽曲１曲分の購入に対して、複製ではない楽曲が２曲存在してしまうため、どちらかを複製と同等の取り扱いとする構成でもよい。
【００８０】
ＰＣ５０３は、ナビゲーション装置５０２と同様に期限付き楽曲を記録媒体に記録しており、ナビゲーション装置５０２から転送された特定情報によって特定される楽曲がある場合に、その楽曲を販売可能なサーバから購入する。販売可能なサーバは、たとえば、前述したサブスクリプションサービスサーバ５０１とは異なるサーバであっても、サブスクリプションサービスサーバ５０１と同一のサーバであってもよい。
【００８１】
具体的には、たとえば、楽曲の購入は、利用者５５０が購入したい楽曲の対価を支払った旨を示す課金情報および購入したい楽曲を特定する特定情報を含む購入要求を販売可能なサーバが取得すると、購入した楽曲について、有効期間を無期限とする更新情報をＰＣ５０３に送信する構成である。
【００８２】
そして、ＰＣ５０３は受信した更新情報によって期限付き楽曲の有効期間を無期限にすることによって楽曲を購入する構成である。
【００８３】
その後、ＰＣ５０３によって、購入した楽曲の複製をナビゲーション装置５０２や、再生端末５０４へ転送することで、利用者５５０は、ナビゲーション装置５０２や、再生端末５０４によって、購入した楽曲を有効期間を気にすることなく聴取することができる。また、楽曲の複製を転送する代わりに、更新情報を転送して、ナビゲーション装置５０２や、再生端末５０４によって、ナビゲーション装置５０２や、再生端末５０４に記録されている期限付き楽曲の有効期間を無期限としてもよい。
【００８４】
ここで更新情報の転送とは、ＰＣ５０３が受信した更新情報の複製を生成し、元の更新情報はＰＣ５０３内の所定の有効期間に限って聴取している楽曲の有効期限を設定することに用いて、複製した更新情報の方をナビゲーション装置５０２に送信することを含むものである。複製した更新情報を受信したナビゲーション装置５０２は、それを受信したナビゲーション装置５０２内の所定の有効期間に限って聴取している楽曲の有効期限を設定することに用いる。また、更新情報の転送とは、ＰＣ５０３で一旦受信した元の更新情報をＰＣ５０３に残さずにナビゲーション装置５０２に送信することをも含むものである。
【００８５】
なお、購入した楽曲の複製は、複製許容回数が設定されていてもよく、たとえば、複製許容回数は、ＰＣ５０３に記録された楽曲について３回（３端末分）の複製も制限されていることとしてもよい。
【００８６】
また、購入した楽曲の更新情報を転送は、転送許容回数が設定されていてもよく、たとえば、転送許容回数は、ＰＣ５０３に記録された楽曲について３回（３端末分）の転送に制限されていることとしてもよい。
【００８７】
楽曲が販売可能なサーバは、サブスクリプションサービスサーバ５０１と同一であっても異なっていてもよいが、サブスクリプションサービスによって所定の有効期間において聴取している楽曲を購入することを前提とする構成でもよい。具体的には、たとえば、利用者５５０は、サブスクリプションサービスの契約によって所定の利用料金を支払っている場合、購入する楽曲に所定の割引を適用することとしてもよい。
【００８８】
この場合、特定情報にサブスクリプションサービスに関する契約情報などを含めることとすればよい。そして、販売可能なサーバは、特定情報に含まれる契約情報を参照して、楽曲の料金の割引をおこなうこととしてもよい。
【００８９】
契約情報は、たとえば、楽曲が販売可能なサーバがサブスクリプションサービスサーバ５０１と異なる場合は、販売可能なサーバがサブスクリプションサービスサーバ５０１に問い合わせることとしてもよい。また、楽曲が販売可能なサーバは、たとえば、認証サーバや課金サーバの機能をサブスクリプションサービスサーバ５０１と共有する構成としてもよい。
【００９０】
さらに、販売可能なサーバは、特定情報とともに、特定情報を取得した日時や利用者５５０の登録端末の情報を取得する構成とすれば、特定情報を取得した日時が、サブスクリプションサービスの契約期間中であることを確認した上で、現在サブスクリプションサービスの契約期間外であっても、契約期間中の特定情報を取得していれば購入可能としてもよい。
【００９１】
特定情報は、たとえば、サブスクリプションサービスサーバ５０１から配信される楽曲に応じて生成されるが、サブスクリプションサービスサーバ５０１と楽曲の販売可能なサーバが異なる場合、販売可能なサーバであってもその特定情報によって楽曲が特定できるようにする必要がある。すなわち、サブスクリプションサービスサーバ５０１および販売可能なサーバで楽曲を特定する際の特定情報のデータの共通化あるいは両サーバの楽曲リストを関連づけて相互に読替可能とすればよい。
【００９２】
また、特定情報は、たとえば、販売可能なサーバによって楽曲を特定できる情報であればよいが、サブスクリプションサービスの利用に応じて所定曲数の購入できる情報を付加してもよいし、利用者５５０によるサブスクリプションサービスの利用状況や利用ポイントに関する情報を付加してもよい。このようにして、サブスクリプションサービスと購入を密接に関連づければ、利用者５５０は、楽曲の聴取を利用して購入意欲が惹起され、サブスクリプションサービスの利用拡大および楽曲の販売促進を図ることができる。
【００９３】
（サブスクリプションサービスサーバ５０１のハードウェア構成）
ここで、図６を用いて、本実施例にかかるサブスクリプションサービスサーバ５０１のハードウェア構成について説明する。図６は、本実施例にかかるサブスクリプションサービスサーバのハードウェア構成の一例を示すブロック図である。なお、以降の本実施例では、サブスクリプションサービスサーバ５０１と楽曲の販売可能なサーバを同一のサーバとして説明する。
【００９４】
図６において、サブスクリプションサービスサーバ５０１は、ＣＰＵ６０１と、ＲＯＭ６０２と、ＲＡＭ６０３と、磁気ディスクドライブ６０４と、磁気ディスク６０５と、光ディスクドライブ６０６と、光ディスク６０７と、音声Ｉ／Ｆ（インターフェース）６０８と、スピーカ６０９と、入力デバイス６１０と、映像Ｉ／Ｆ６１１と、ディスプレイ６１２と、通信Ｉ／Ｆ６１３と、を備えている。また、各構成部６０１〜６１３はバス６２０によってそれぞれ接続されている。
【００９５】
まず、ＣＰＵ６０１は、サブスクリプションサービスサーバ５０１の全体の制御を司る。ＲＯＭ６０２は、ブートプログラム、通信プログラム、データ管理プログラムなどの各種プログラムを記録している。また、ＲＡＭ６０３は、ＣＰＵ６０１のワークエリアとして使用される。
【００９６】
磁気ディスクドライブ６０４は、ＣＰＵ６０１の制御にしたがって磁気ディスク６０５に対するデータの読み取り／書き込みを制御する。磁気ディスク６０５は、磁気ディスクドライブ６０４の制御で書き込まれたデータを記録する。磁気ディスク６０５としては、たとえば、ＨＤ（ハードディスク）やＦＤ（フレキシブルディスク）を用いることができる。
【００９７】
光ディスクドライブ６０６は、ＣＰＵ６０１の制御にしたがって光ディスク６０７に対するデータの読み取り／書き込みを制御する。光ディスク６０７は、光ディスクドライブ６０６の制御にしたがってデータの読み出される着脱自在な記録媒体である。光ディスク６０７は、書き込み可能な記録媒体を利用することもできる。また、この着脱可能な記録媒体として、光ディスク６０７のほか、ＭＯ、メモリカードなどであってもよい。
【００９８】
音声Ｉ／Ｆ６０８は、音声出力用のスピーカ６０９に接続され、スピーカ６０９からは音声が出力される。
【００９９】
入力デバイス６１０は、文字、数値、各種指示などの入力のための複数のキーを備えたリモコン、キーボード、マウス、タッチパネルなどが挙げられる。
【０１００】
映像Ｉ／Ｆ６１１は、ディスプレイ６１２と接続される。映像Ｉ／Ｆ６１１は、具体的には、たとえば、ディスプレイ６１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ６１２を表示制御する制御ＩＣなどによって構成される。
【０１０１】
ディスプレイ６１２には、アイコン、カーソル、メニュー、ウインドウ、あるいは文字や画像などの各種データが表示される。このディスプレイ６１２は、たとえば、ＣＲＴ、ＴＦＴ液晶ディスプレイ、プラズマディスプレイなどを採用することができる。
【０１０２】
通信Ｉ／Ｆ６１３は、無線を介してネットワークに接続され、サブスクリプションサービスサーバ５０１とＣＰＵ６０１とのインターフェースとして機能する。通信Ｉ／Ｆ６１３は、さらに、無線を介してインターネット５１０などの通信網に接続され、この通信網とＣＰＵ６０１とのインターフェースとしても機能する。
【０１０３】
通信網には、ＬＡＮ、ＷＡＮ、公衆回線網や携帯電話網などがある。具体的には、通信Ｉ／Ｆ６１３は、たとえば、ＦＭチューナーなどによって構成される。
【０１０４】
なお、詳細は図９および図１０を用いて説明するが、サブスクリプションサービスサーバ５０１は、図７および図８に示すナビゲーション装置５０２およびＰＣ５０３と通信をおこなってコンテンツを提供する構成である。ここで、コンテンツは、たとえば、図５に示した楽曲などでもよい。
【０１０５】
（ナビゲーション装置５０２のハードウェア構成）
つづいて、図７を用いて、本実施例にかかるナビゲーション装置５０２のハードウェア構成について説明する。図７は、本実施例にかかるナビゲーション装置のハードウェア構成の一例を示すブロック図である。
【０１０６】
図７において、ナビゲーション装置５０２は、車両などの移動体に搭載されており、ＣＰＵ７０１と、ＲＯＭ７０２と、ＲＡＭ７０３と、磁気ディスクドライブ７０４と、磁気ディスク７０５と、光ディスクドライブ７０６と、光ディスク７０７と、音声Ｉ／Ｆ（インターフェース）７０８と、スピーカ７０９と、入力デバイス７１０と、映像Ｉ／Ｆ７１１と、ディスプレイ７１２と、通信Ｉ／Ｆ７１３と、ＧＰＳユニット７１４と、各種センサ７１５と、を備えている。また、各構成部７０１〜７１５はバス７２０によってそれぞれ接続されている。
【０１０７】
まず、ＣＰＵ７０１は、ナビゲーション装置５０２の全体の制御を司る。ＲＯＭ７０２は、ブートプログラム、経路探索プログラム、経路誘導プログラム、通信プログラム、コンテンツ再生プログラムなどの各種プログラムを記録している。また、ＲＡＭ７０３は、ＣＰＵ７０１のワークエリアとして使用される。
【０１０８】
詳細は図９を用いて説明するが、コンテンツ再生プログラム、通信プログラムは、サブスクリプションサービスサーバ５０１から提供されるコンテンツを再生させる。また、購入したコンテンツの複製の受信および再生をさせることとしてもよい。
【０１０９】
経路探索プログラムは、後述する磁気ディスク７０５や光ディスク７０７に記録されている地図情報などを利用して、出発地点から目的地点までの最適な経路を探索させる。ここで、最適な経路とは、目的地点までの最短（あるいは最速）経路や利用者が指定した条件に最も合致する経路などである。
【０１１０】
経路誘導プログラムは、経路探索プログラムを実行することによって探索された誘導経路情報、現在地点算出プログラムを実行することによって算出された車両の現在地点情報、後述する磁気ディスク７０５や光ディスク７０７から読み出された地図情報に基づいて、リアルタイムな経路誘導情報の生成をおこなわせる。経路誘導プログラムを実行することによって生成された経路誘導情報は、ＣＰＵ７０１を介して音声Ｉ／Ｆ７０８や映像Ｉ／Ｆ７１１へ出力される。
【０１１１】
磁気ディスクドライブ７０４は、ＣＰＵ７０１の制御にしたがって磁気ディスク７０５に対するデータの読み取り／書き込みを制御する。磁気ディスク７０５は、磁気ディスクドライブ７０４の制御で書き込まれたデータを記録する。磁気ディスク７０５としては、たとえば、ＨＤ（ハードディスク）やＦＤ（フレキシブルディスク）を用いることができる。
【０１１２】
光ディスクドライブ７０６は、ＣＰＵ７０１の制御にしたがって光ディスク７０７に対するデータの読み取り／書き込みを制御する。光ディスク７０７は、光ディスクドライブ７０６の制御にしたがってデータの読み出される着脱自在な記録媒体である。光ディスク７０７は、書き込み可能な記録媒体を利用することもできる。また、この着脱可能な記録媒体として、光ディスク７０７のほか、ＭＯ、メモリカードなどであってもよい。
【０１１３】
音声Ｉ／Ｆ７０８は、音声出力用のスピーカ７０９に接続され、スピーカ７０９からは音声が出力される。
【０１１４】
入力デバイス７１０は、文字、数値、各種指示などの入力のための複数のキーを備えたリモコン、キーボード、マウス、タッチパネルなどが挙げられる。
【０１１５】
映像Ｉ／Ｆ７１１は、ディスプレイ７１２と接続される。映像Ｉ／Ｆ７１１は、具体的には、たとえば、ディスプレイ７１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ７１２を表示制御する制御ＩＣなどによって構成される。
【０１１６】
ディスプレイ７１２には、アイコン、カーソル、メニュー、ウインドウ、あるいは文字や画像などの各種データが表示される。このディスプレイ７１２は、たとえば、ＣＲＴ、ＴＦＴ液晶ディスプレイ、プラズマディスプレイなどを採用することができる。
【０１１７】
通信Ｉ／Ｆ７１３は、無線を介してネットワークに接続され、ナビゲーション装置５０２とＣＰＵ７０１とのインターフェースとして機能する。通信Ｉ／Ｆ７１３は、さらに、無線を介してインターネット５１０などの通信網に接続され、この通信網とＣＰＵ７０１とのインターフェースとしても機能する。
【０１１８】
通信網には、ＬＡＮ、ＷＡＮ、公衆回線網や携帯電話網などがある。具体的には、通信Ｉ／Ｆ７１３は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規制などの道路交通情報を取得する。なお、ＶＩＣＳは登録商標である。また、通信Ｉ／Ｆ７１３は、たとえば、図示しないサーバなどからスケジュール情報やプロフィール情報を取得する構成でもよい。
【０１１９】
ＧＰＳユニット７１４は、ＧＰＳ衛星からの電波を受信し、車両の現在地点を示す情報を出力する。ＧＰＳユニット７１４の出力情報は、後述する各種センサ７１５の出力値とともに、ＣＰＵ７０１による車両の現在地点の算出に際して利用される。現在地点を示す情報は、たとえば緯度・経度、高度などの、地図情報上の１点を特定する情報である。
【０１２０】
各種センサ７１５は、車速センサや加速度センサ、角速度センサなどを含み、車両の位置や挙動を判断することが可能な情報を出力する。各種センサ７１５の出力値は、ＣＰＵ７０１による車両の現在地点の算出や、速度や方位の変化量の測定などに用いられる。
【０１２１】
なお、実施の形態にかかるコンテンツ再生装置１００の機能的構成のうち、記録部１０１は磁気ディスクドライブ７０４や光ディスクドライブ７０６によって、選択部１０２は入力デバイス７１０や通信Ｉ／Ｆ７１３によって、生成部１０３や設定部１０５は磁気ディスク７０５や光ディスク７０７などの記録媒体に記録された各種プログラムをＣＰＵ７０１が実行することによって、出力部１０４は通信Ｉ／Ｆ７１３によって、それぞれその機能を実現する。
【０１２２】
（ＰＣ５０３のハードウェア構成）
つづいて、図８を用いて、本実施例にかかるＰＣ５０３のハードウェア構成について説明する。図８は、本実施例にかかるＰＣのハードウェア構成の一例を示すブロック図である。
【０１２３】
図８において、ＰＣ５０３は、ＣＰＵ８０１と、ＲＯＭ８０２と、ＲＡＭ８０３と、磁気ディスクドライブ８０４と、磁気ディスク８０５と、光ディスクドライブ８０６と、光ディスク８０７と、音声Ｉ／Ｆ（インターフェース）８０８と、スピーカ８０９と、入力デバイス８１０と、映像Ｉ／Ｆ８１１と、ディスプレイ８１２と、通信Ｉ／Ｆ８１３と、を備えている。また、各構成部８０１〜８１３はバス８２０によってそれぞれ接続されている。
【０１２４】
まず、ＣＰＵ８０１は、ＰＣ５０３の全体の制御を司る。ＲＯＭ８０２は、ブートプログラム、通信プログラム、コンテンツ記録プログラムなどの各種プログラムを記録している。また、ＲＡＭ８０３は、ＣＰＵ８０１のワークエリアとして使用される。
【０１２５】
詳細は図１０を用いて説明するが、通信プログラム、コンテンツ記録プログラムは、サブスクリプションサービスサーバ５０１やナビゲーション装置５０２などと通信をさせて、コンテンツの購入および記録・管理をさせる。また、購入したコンテンツの複製を生成してナビゲーション装置５０２や再生端末５０４へ転送させてもよい。
【０１２６】
磁気ディスクドライブ８０４は、ＣＰＵ８０１の制御にしたがって磁気ディスク８０５に対するデータの読み取り／書き込みを制御する。磁気ディスク８０５は、磁気ディスクドライブ８０４の制御で書き込まれたデータを記録する。磁気ディスク８０５としては、たとえば、ＨＤ（ハードディスク）やＦＤ（フレキシブルディスク）を用いることができる。
【０１２７】
光ディスクドライブ８０６は、ＣＰＵ８０１の制御にしたがって光ディスク８０７に対するデータの読み取り／書き込みを制御する。光ディスク８０７は、光ディスクドライブ８０６の制御にしたがってデータの読み出される着脱自在な記録媒体である。光ディスク８０７は、書き込み可能な記録媒体を利用することもできる。また、この着脱可能な記録媒体として、光ディスク８０７のほか、ＭＯ、メモリカードなどであってもよい。
【０１２８】
音声Ｉ／Ｆ８０８は、音声出力用のスピーカ８０９に接続され、スピーカ８０９からは音声が出力される。
【０１２９】
入力デバイス８１０は、文字、数値、各種指示などの入力のための複数のキーを備えたリモコン、キーボード、マウス、タッチパネルなどが挙げられる。
【０１３０】
映像Ｉ／Ｆ８１１は、ディスプレイ８１２と接続される。映像Ｉ／Ｆ８１１は、具体的には、たとえば、ディスプレイ８１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ８１２を表示制御する制御ＩＣなどによって構成される。
【０１３１】
ディスプレイ８１２には、アイコン、カーソル、メニュー、ウインドウ、あるいは文字や画像などの各種データが表示される。このディスプレイ８１２は、たとえば、ＣＲＴ、ＴＦＴ液晶ディスプレイ、プラズマディスプレイなどを採用することができる。
【０１３２】
通信Ｉ／Ｆ８１３は、無線を介してネットワークに接続され、ＰＣ５０３とＣＰＵ８０１とのインターフェースとして機能する。通信Ｉ／Ｆ８１３は、さらに、無線を介してインターネット５１０などの通信網に接続され、この通信網とＣＰＵ８０１とのインターフェースとしても機能する。
【０１３３】
通信網には、ＬＡＮ、ＷＡＮ、公衆回線網や携帯電話網などがある。具体的には、通信Ｉ／Ｆ８１３は、たとえば、ＦＭチューナーなどによって構成される。
【０１３４】
なお、実施の形態にかかるコンテンツ記録装置２００の機能的構成のうち、記録部２０１は磁気ディスクドライブ８０４や光ディスクドライブ８０６によって、取得部２０２や受信部２０５や要求部２０４は通信Ｉ／Ｆ８１３、検索部２０３や更新部２０６は磁気ディスク８０５や光ディスク８０７などの記録媒体に記録された各種プログラムをＣＰＵ８０１が実行することによって、それぞれその機能を実現する。
【０１３５】
（ナビゲーション装置５０２の処理の内容）
つぎに、図９を用いて、本実施例にかかるナビゲーション装置５０２の処理の内容について説明する。図９は、本実施例にかかるナビゲーション装置の処理の内容を示すフローチャートである。図９のフローチャートにおいて、まず、ナビゲーション装置５０２は、利用者５５０によって、サブスクリプションサービスの契約を実施したか否かを判断する（ステップＳ９０１）。
【０１３６】
サブスクリプションサービスは、たとえば、サブスクリプションサービスサーバ５０１を用いて、利用者５５０との間における、所定のコンテンツ（たとえば、図５に示した楽曲）の配信に関する契約に基づいて、利用者５５０の所有する端末へコンテンツを配信する。サブスクリプションサービスサーバ５０１によるコンテンツの配信は、ナビゲーション装置５０２やＰＣ５０３に限ることなく、利用者５５０との間の契約に応じて登録される端末に対しておこなうこととしてもよい。
【０１３７】
サブスクリプションサービスを契約したか否かの判断は、たとえば、ＣＰＵ７０１によって、利用者５５０がサブスクリプションサービスサーバ５０１を管理する事業者と契約をして時点で、磁気ディスク７０５や光ディスク７０７などの記録媒体に記録される契約情報を参照しておこなってもよい。
【０１３８】
ステップＳ９０１において、サブスクリプションサービスの契約を実施するのを待って、実施した場合（ステップＳ９０１：Ｙｅｓ）は、通信Ｉ／Ｆ７１３によって、サブスクリプションサービスサーバ５０１から期限付きコンテンツをダウンロードする（ステップＳ９０２）。
【０１３９】
期限付きコンテンツは、たとえば、サブスクリプションサービスサーバ５０１によって設定された有効期間に限って視聴または聴取可能とするコンテンツであり、サブスクリプションサービスの契約に応じて変更可能な期間でもよい。
【０１４０】
つぎに、磁気ディスクドライブ７０４や光ディスクドライブ７０６などのドライブによって、磁気ディスク７０５や光ディスク７０７などの記録媒体にステップＳ９０２においてダウンロードされた期限付きコンテンツを記録する（ステップＳ９０３）。
【０１４１】
つぎに、入力デバイス７１０によって、ステップＳ９０３において記録された期限付きコンテンツの中から利用者５５０が購入したいコンテンツが選択されたか否かを判断する（ステップＳ９０４）。購入したいコンテンツの選択は、たとえば、複数の期限付きコンテンツを一括に選択してもよく、ステップＳ９０３において記録した期限付きコンテンツのリストから選択する構成でもよい。また、購入したいコンテンツの選択は、たとえば、期限付きコンテンツを視聴または聴取した後に選択可能としてもよく、このようにすれば、利用者５５０は、購入したいコンテンツを視聴または聴取してから慎重に選択することができる。
【０１４２】
ステップＳ９０４において、購入したいコンテンツが選択された場合（ステップＳ９０４：Ｙｅｓ）は、ＣＰＵ７０１によって、ステップＳ９０４において選択されたコンテンツを特定する特定情報を生成する（ステップＳ９０６）。特定情報は、たとえば、コンテンツのタイトル名称や著作者名などのメタデータ、著作権ナンバーなどのコンテンツＩＤ、サブスクリプションサービスにおける識別ナンバーなどであってもよい。また、コンテンツの特徴量やコンテンツの一部を含む情報であってもよい。コンテンツの特徴量や一部を含むことで、同一のコンテンツであっても録音環境などのバージョンの違いがある場合に容易に特定することができる。
【０１４３】
また、ステップＳ９０４において、購入したいコンテンツの選択は、その時点で購入すると決定していなくとも視聴または聴取していて気に入ったコンテンツが再生されたときにスイッチを押すなどの操作によりそのコンテンツを選択し、それに基づきステップＳ９０６により特定情報を生成保存しておいて、後で保存した特定情報の中から購入するコンテンツを選択することにしてもよい。このとき、ステップＳ９０４においてコンテンツを選択したときに生成する特定情報は簡易なものとし、後で購入するコンテンツを選択したときに、選択したコンテンツについて改めて購入要求の目的に合致した情報を含む特定情報を改めて生成してもよい。
【０１４４】
つぎに、通信Ｉ／Ｆ７１３によって、ＰＣ５０３に対してステップＳ９０６において生成された特定情報を送信する（ステップＳ９０７）。また、生成した特定情報の内、利用者５５０が購入すると決定したコンテンツの特定情報のみを選択して送信することとしてもよい。また、利用者５５０が所有あるいは管理しているどの機器からコンテンツを購入するかその時点で決まっていなければ可能性のある複数の機器に特定情報を送信してもよい。なお、ＰＣ５０３による、特定情報の受信およびコンテンツの購入に関する処理については、図１０に後述する。
【０１４５】
そして、ステップＳ９０７において特定情報を送信した結果、通信Ｉ／Ｆ７１３によって、ＰＣ５０３あるいはサブスクリプションサービスサーバ５０１から送信される更新情報を受信する（ステップＳ９０８）。
【０１４６】
その後、ＣＰＵ７０１によって、ステップＳ９０８において受信された更新情報によって、購入したいコンテンツの有効期間を更新し（ステップＳ９０９）、一連の処理を終了する。有効期間の更新は、たとえば、磁気ディスク７０５や光ディスク７０７などの記録媒体に記録された有効期間において視聴または聴取可能な期限付きコンテンツのうち、選択されたコンテンツにおける所定の有効期間を無期限に設定する。
【０１４７】
すなわち、利用者５５０が購入したいコンテンツの対価を支払って購入したことが確認されると取得できる更新情報によって、有効期間の指定されている期限付きコンテンツの有効期間を無期限にすることで、利用者５５０は、購入後に有効期間を気にすることなくコンテンツを視聴または聴取できる。
【０１４８】
また、ステップＳ９０９において、有効期間を更新する代わりに、ＰＣ５０３から購入したコンテンツの複製を受信することとしてもよい。コンテンツの複製は、たとえば、ＰＣ５０３によって、購入されたコンテンツを複製し、複製したコンテンツを受信することで、ナビゲーション装置５０２では、有効期間を気にすることなく視聴または聴取できるコンテンツを取得することができる。
【０１４９】
ここで、ステップＳ９０４に戻って、購入したいコンテンツが選択されない場合（ステップＳ９０４：Ｎｏ）は、ＣＰＵ７０１によって、ステップＳ９０１において実施した契約期間が継続中か否かを判断する（ステップＳ９０５）。
【０１５０】
契約期間が継続中か否かの判断は、たとえば、契約情報と現在の日時を比較しておこなってもよいし、サブスクリプションサービスの利用の可否情報を取得しておこなってもよい。
【０１５１】
ステップＳ９０５において、契約期間が継続中の場合（ステップＳ９０５：Ｙｅｓ）は、ステップＳ９０２に戻って処理を繰り返す。なお、図９の説明ではステップＳ９０２に戻って処理を繰り返す構成としたが、既にダウンロード済のコンテンツの視聴または聴取を継続することとしてもよい。
【０１５２】
また、ステップＳ９０５において、契約期間が継続中でない場合（ステップＳ９０５：Ｎｏ）は、ステップＳ９０１に戻って処理を繰り返す。すなわち、利用者５５０は、契約期間が経過したら、再契約をすることによってサブスクリプションサービスの提供を受け付けることができ、ステップＳ９０５において、契約期間が継続中でない場合（ステップＳ９０５：Ｎｏ）は、再契約を促すステップを設けてもよい。
【０１５３】
（ＰＣ５０３の処理の内容）
つづいて、図１０を用いて、本実施例にかかるＰＣ５０３の処理の内容について説明する。図１０は、本実施例にかかるＰＣの処理の内容を示すフローチャートである。図１０のフローチャートにおいて、まず、磁気ディスク８０５や光ディスク８０７などの記録媒体に期限付きのコンテンツが記録されているか否かを判断する（ステップＳ１００１）。この期限付きコンテンツは、たとえば、サブスクリプションサービスサーバ５０１によって設定された有効期間に限って視聴または聴取可能とするコンテンツである。また、利用者５５０が所有する登録端末で共有可能な構成であってもよい。
【０１５４】
ステップＳ１００１において、期限付きコンテンツが記録されていない場合（ステップＳ１００１：Ｎｏ）は、そのまま一連の処理を終了する。なお、図１０の説明では、期限付きコンテンツが記録されていない場合（ステップＳ１００１：Ｎｏ）は、そのまま一連の処理を終了する構成としたが、ステップＳ１００５へ移行して、サブスクリプションサービスサーバ５０１に対して期限付きコンテンツの取得要求をおこなう構成でもよい。
【０１５５】
また、ステップＳ１００１において、期限付きコンテンツが記録されている場合（ステップＳ１００１：Ｙｅｓ）は、通信Ｉ／Ｆ８１３によって、ナビゲーション装置５０２から特定情報を受信したか否かを判断する（ステップＳ１００２）。特定情報は、たとえば、利用者５５０が購入したい購入対象となるコンテンツを特定する情報である。
【０１５６】
ステップＳ１００２において、特定情報を受信するのを待って、受信した場合（ステップＳ１００２：Ｙｅｓ）は、ＣＰＵ８０１によって、ステップＳ１００１において記録された期限付きコンテンツの中に、ステップＳ１００２において受信した特定情報によって特定される購入対象となるコンテンツがあるか否かを判断する（ステップＳ１００３）。
【０１５７】
なお、図１０のフローチャートでは、ステップＳ１００１およびステップＳ１００２において、期限付きコンテンツが記録されているか否か判断してから特定情報を受信するのを待つ構成としているが、逆の順序であってもよい。
【０１５８】
具体的には、たとえば、特定情報を受信するのを待って、受信した場合に、期限付きコンテンツが記録されているか否かを判断する。その場合、期限付きコンテンツが記録されていないと、ステップＳ１００５に移行して、期限付きコンテンツの取得要求をおこなうこととしてもよい。
【０１５９】
ステップＳ１００３において、購入対象となるコンテンツがあった場合（ステップＳ１００３：Ｙｅｓ）は、通信Ｉ／Ｆ８１３によって、購入対象となるコンテンツの購入要求をおこなう（ステップＳ１００４）。
【０１６０】
このとき、改めて利用者５５０に購入意向を確認するステップを加えてもよい。またこのとき、たとえば受信済みの特定情報による購入を実施した場合の購入金額を販売可能なサーバなどから取得し、それを参照しながら利用者５５０が改めて受信済みの特定情報の中から、購入したいコンテンツを決定するステップを加えてもよい。
【０１６１】
また、ＰＣ５０３やサブスクリプションサービスサーバ５０１あるいはナビゲーション装置５０２が、利用者５５０が既に購入したコンテンツを検索し、ＰＣ５０３が受信した特定情報あるいはサブスクリプションサービスサーバ５０１が受信したコンテンツの購入要求の中に既に購入したコンテンツに該当する曲があれば、それを利用者５５０に通知し、自動で又は利用者５５０の指示によりコンテンツの購入要求から該当曲を除くステップを加えてもよい。
【０１６２】
コンテンツの購入要求は、たとえば、利用者５５０によって購入したいコンテンツの対価の支払いがおこなわれることを条件に、そのコンテンツを販売可能なサーバに対しておこなう。なお、本実施例において販売可能なサーバは、サブスクリプションサービスサーバ５０１とする。
【０１６３】
また、ステップＳ１００３において、購入対象となるコンテンツがなかった場合（ステップＳ１００３：Ｎｏ）は、サブスクリプションサービスサーバ５０１に対して期限付きコンテンツの取得要求をおこなう（ステップＳ１００５）。そして、取得要求の結果、取得された期限付きコンテンツを磁気ディスク８０５や光ディスク８０７などの記録媒体に記録すると、ステップＳ１００１へ戻って処理を繰り返す。
【０１６４】
つぎに、通信Ｉ／Ｆ８１３によって、ステップＳ１００４において購入要求をおこなった結果、購入対象となるコンテンツの更新情報を受信したか否かを判断する（ステップＳ１００６）。
【０１６５】
更新情報は、たとえば、期限付きコンテンツの有効期間に関する情報で、サブスクリプションサービスによって提供されるコンテンツの配信の終了日のみならず、開始日と終了日をあわせて更新する情報であってもよい。また、配信の期日の代わりに、再生可能な期日を設定してもよく、利用の可否に関する情報でもよい。
【０１６６】
更新情報の受信は、たとえば、複数のコンテンツに対する更新情報を一括して受信することとしてもよく、サブスクリプションサービスサーバ５０１から受信する構成である。
【０１６７】
ステップＳ１００６において、更新情報を受信するのを待って、受信した場合（ステップＳ１００６：Ｙｅｓ）は、ＣＰＵ８０１によって、ステップＳ１００６において受信された更新情報を用いて、購入対象となった期限付きコンテンツの有効期間を更新する（ステップＳ１００７）。
【０１６８】
有効期間の更新は、たとえば、期限付きコンテンツに設定された有効期間を無期限にすることとしてもよい。また、有効期間に限ることなく、視聴や聴取の回数に関する制限がある場合には、その回数の制限を取り除くこととしてもよい。
【０１６９】
そして、磁気ディスクドライブ８０４や光ディスクドライブ８０６などのドライブによって、磁気ディスク８０５や光ディスク８０７などの記録媒体にステップＳ１００７において有効期間が更新されたコンテンツを記録して（ステップＳ１００８）、一連の処理を終了する。
【０１７０】
なお、図１０のフローチャートでは説明を省略するが、ステップＳ１００６において受信した更新情報をナビゲーション装置５０２など、利用者５５０が所有する端末に送信してもよい。
【０１７１】
さらに、ナビゲーション装置５０２に対して更新情報を送信する代わりに、ステップＳ１００８において記録されたコンテンツの複製を送信することとしてもよい。このようにすれば、利用者５５０は、複数の端末で期限付きのコンテンツではなく、購入したコンテンツを視聴または聴取することができる。
【０１７２】
また、コンテンツの複製の送信は、たとえば、特定情報を生成し送信した端末に対して自動的に行ってもよい。このためには、受信した特定情報を送信した端末を特定する情報とコンテンツの購入要求及び取得した更新情報などとを紐づける仕組みを備えてもよい。また、コンテンツの複製の送信は、利用者５５０が所有するすべての端末又はあらかじめ指定した端末に対して自動的に行ってもよく、コンテンツの複製数に制限がある場合は、利用者５５０が所有する複数の端末にたいしてコンテンツの複製の送信を行う優先順位の設定ができるようにしてもよい。
【０１７３】
また、更新情報の転送は、たとえば、特定情報を生成し送信した端末に対して自動的に行ってもよい。このためには、受信した特定情報を送信した端末を特定する情報とコンテンツの購入要求及び取得した更新情報などとを紐づける仕組みを備えてもよい。また、更新情報の転送は、利用者５５０が所有するすべての端末又はあらかじめ指定した端末に対して自動的に行ってもよく、更新情報の転送数に制限がある場合は、利用者５５０が所有する複数の端末にたいして更新情報の転送を行う優先順位の設定ができるようにしてもよい。
【０１７４】
以上説明したように、本実施例にかかるナビゲーション装置によれば、サブスクリプションサービスサーバによって提供された期限付きコンテンツを視聴または聴取してから購入したいコンテンツを選択することができるため、利用者は、無駄な買い物を防ぐことができる。
【０１７５】
また、本実施例にかかるナビゲーション装置によれば、期限付きコンテンツを購入し、ＰＣに記録してから複製を受信することで、利用者は、気に入ったコンテンツ（購入したコンテンツ）を有効期間を気にすることなくコンテンツを視聴または聴取することができる。
【０１７６】
また、本実施例にかかるナビゲーション装置によって有効期間の更新をおこなう構成であれば、一旦記録した期限付きコンテンツを利用して、購入対象となるコンテンツにできるため、通信付加を低減させることができる。
【０１７７】
また、本実施例にかかるＰＣによれば、購入したいコンテンツを複数のコンテンツが記録可能な所定の記録媒体に記録するため、利用者は、購入したコンテンツの一元管理が可能となる。換言すれば、車両に搭載されたナビゲーション装置とは別のＰＣに購入したコンテンツを記録することで、利用者は、購入したコンテンツの再生や複製などの利便性を高めることができる。
【０１７８】
さらに、購入したコンテンツを改めて受信することなく、期限付きコンテンツの有効期間を更新するだけでコンテンツを購入でき、安定した通信環境を実現でき、コンテンツに不具合を生じさせることなくコンテンツのデータを記録することができる。
【０１７９】
なお、本実施の形態で説明したコンテンツ購入方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【０１８０】
１００  コンテンツ再生装置
１０１  記録部
１０２  選択部
１０３  生成部
１０４  出力部
１０５  設定部
２００  コンテンツ記録装置
２０１  記録部
２０２  取得部
２０３  検索部
２０４  要求部
２０５  受信部
２０６  更新部
【図１】
0005184356.tif 000002
【図２】
0005184356.tif 000003
【図３】
0005184356.tif 000004
【図４】
0005184356.tif 000005
【図５】
0005184356.tif 000006
【図６】
0005184356.tif 000007
【図７】
0005184356.tif 000008
【図８】
0005184356.tif 000009
【図９】
0005184356.tif 000010
【図１０】
0005184356.tif 000011